(57)【要約】      （修正有）【課題】ユーザが購入後に管材取り付け部を取り付けることが不要なボールバルブを提供する。【解決手段】ハンドル５８を手などで操作して回転すると、ステム３０を介してボール３５が回転し、ボール３５の両側の流路１２１と流路１２３とを連結状態と非連結状態とで切り換える。ボールバルブは、流路１２３の部材２１の雄ねじ部には、管材取り付け部１３１の雌ねじ部が螺合されている。ボールバルブは、このように管材取り付け部１３１を予め部材２１に螺合して固定設置することで、ボールバルブの販売先において管材取り付け部１３１を装着する必要がなる。【選択図】図２
0003182134.tif 000002
【実用新案登録請求の範囲】
【請求項１】
バルブ本体内に貫通孔を有するボールを、ステムを介して回転自在に設けたボールバルブにおいて、
前記ボールの一方の側に設けられ、前記ボールが所定の回転姿勢になると前記貫通孔と連結する第１の流路を備えた第１の部材と、
前記ボールの他方の側に設けられ、前記ボールが前記所定の回転姿勢になると前記貫通孔と連結する第２の流路を備えた第２の部材と、
前記第１の部材および前記第２の部材の少なくとも一方に設けられ、管材と結合可能な管材取り付け部と
を有するボールバルブ。
【考案の詳細な説明】
【技術分野】
【０００１】
本考案は、冷温水、空気、ガス等の配管に装着して流体の流れを開閉又は制御するボールバルブに関する。
【背景技術】
【０００２】
軽量・コンパクト・シール性に優れ、特に、低圧力損失、簡易的な流量制御性、高い操作性などの特性を備えたボールバルブがある。
ボールバルブは、球形状のボールをステムによって回転するようになっており、このステムは、バーリング部分に設けたステム挿入穴に挿着するか、又は、バーリング部分のないステム挿入穴に挿着している。バーリング部分を設けたステム挿入穴にステムを挿着する場合には、ステムの鍔部をバーリング部先端に当接させるようにしている。
【考案の開示】
【考案が解決しようとする課題】
【０００３】
上述したボールバルブには、連結対象となる少なくとも２つの管材が取り付けられる。
従来のボールバルブには、上述した管材を取り付ける管材取り付け部は、販売時に予め設けられておらず、ユーザは購入後にボールバルブに管材取り付け部を固定した後に管材を当該管材取り付け部に取り付ける。
しかしながら、ユーザは、上述したようにボールバルブを購入した後に、管材取り付け部を取り付ける必要があり、手間がかかるという問題がある。
【０００４】
本発明は上述した従来技術の問題に鑑みてなされ、ユーザが購入後に管材取り付け部を取り付けることが不要なボールバルブを提供することを目的とする。
【課題を解決するための手段】
【０００５】
上述した従来技術の問題点を解決し、上述した目的を達成するため、本考案のボールバルブは、バルブ本体内に貫通孔を有するボールを、ステムを介して回転自在に設けたボールバルブであって、前記ボールの一方の側に設けられ、前記ボールが所定の回転姿勢になると前記貫通孔と連結する第１の流路を備えた第１の部材と、前記ボールの他方の側に設けられ、前記ボールが前記所定の回転姿勢になると前記貫通孔と連結する第２の流路を備えた第２の部材と、前記第１の部材および前記第２の部材の少なくとも一方に設けられ、管材と結合可能な管材取り付け部とを有する。
【０００６】
好適には、上記管材取り付け部は、螺合により、上記管材と結合する。
【考案の効果】
【０００７】
本考案によれば、ユーザが購入後に管材取り付け部を取り付けることが不要なボールバルブを提供することができる。
【図面の簡単な説明】
【０００８】
【図１】図１は、本考案の実施形態に係るボールバルブの正面図である。
【図２】図２は、図１に示すボールバルブの断面線Ａ−Ａにおける断面図である。
【図３】図３は、図１に示すボールバルブの右側側面図である。
【図４】図４は、図１に示すボールバルブの左側側面図である。
【図５】図５は、図１に示すボールバルブの平面図である。
【考案を実施するための最良の形態】
【０００９】
以下、本考案の実施形態に係るボールバルブを、図面を参照しながら説明する。
図１は、本考案の実施形態に係るボールバルブの正面図である。図２は、図１に示すボールバルブの断面線Ａ−Ａにおける断面図である。
図３は、図１に示すボールバルブの右側側面図である。図４は、図１に示すボールバルブの左側側面図である。図５は、図１に示すボールバルブの平面図である。
【００１０】
本実施形態のボールバルブ１は、一般的なボールバルブの構造を呈し、ステム３０の回転トルクによって弁体（ボール）３５を回転するものである。
【００１１】
図中において、ボールバルブ本体２０は、部材２１によって略筒状に形成されている。
バルブ本体２０は、部材２１を所定長さ、即ち、バルブ本体２０を構成する長さに切断して形成される。
【００１２】
バルブ本体２０のステム挿入位置には、絞り又はタタキ成形してフラット状の座面２２を外周側に形成し、かつ、当該位置を内方に折曲してステムの鍔部側に向けてバーリング加工を施して筒状のバーリング部を形成し、このバーリング部の内周側に挿入穴２４を設けている。
【００１３】
ステム３０は、下部付近の途中に鍔部を環状に設けており、この鍔部３１は、挿入穴よりも大径に設けていることでステム３０の装着後にこのステム３０が流体の圧力等によりバルブ本体２０の外方に飛び出すのを防止している。また、ステム３０の下部には、非円形の突設部３２が形成され、この突設部３２がボール３５と接合可能になっている。
【００１４】
ボール３５は、貫通孔３６を有し、ステム３０の取付位置には、弁全開時又は全閉時において、流路（軸方向）と平行になるようにステム嵌合面を形成している。このボール３５は、ステム嵌合面にステム３０の突設部３２を係合させ、このステム３０を介してバルブ本体２０内で回転自在になるように設けている。
【００１５】
ハンドル５８を手などで操作して回転すると、ステム３０を介してボール３５が回転し、ボール３５の両側の流路１２１と流路１２３とを連結状態と非連結状態とで切り換える。
【００１６】
ボールバルブ１は、流路１２３の部材２１の雄ねじ部には、管材取り付け部１３１の雌ねじ部が螺合されている。
管材取り付け部１３１には、管材が螺合等により、取り付けられる。
バルブ本体２０の管材取り付け部１３１とは反対側には、流路１２１と連通する管材が螺合等によって取り付けられる。
【００１７】
ボールバルブ１は、このように管材取り付け部１３１を予め部材２１に螺合して固定設置することで、ボールバルブ１の販売先において管材取り付け部１３１を装着する必要がなくなり、手間が省けるという効果がある。
【００１８】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、ボールバルブ１の部材２１とは反対側に管材取り付け部を設けてもよい。
また、ボールバルブ１の形状は、「ボールの一方の側に設けられ、前記ボールが所定の回転姿勢になると前記貫通孔と連結する第１の流路を備えた第１の部材と、前記ボールの他方の側に設けられ、前記ボールが前記所定の回転姿勢になると前記貫通孔と連結する第２の流路を備えた第２の部材と、前記第１の部材および前記第２の部材の少なくとも一方に設けられ、管材と結合可能な管材取り付け部とを有する」ものであれば特に限定されない。
【産業上の利用可能性】
【００１９】
本考案は、ボールバルブに適用可能である。
【符号の説明】
【００２０】
１…ボールバルブ
２０…ボールバルブ本体
３０…ステム
３５…ボール
１２１，１２３…流路
１３１…管材取り付け部
【図１】
0003182134.tif 000003
【図２】
0003182134.tif 000004
【図３】
0003182134.tif 000005
【図４】
0003182134.tif 000006
【図５】
0003182134.tif 000007